(57)【要約】【課題】  試験／断路位置のみでコネクタプラグの抜き差しが可能で、コネクタプラグの未挿入状態では運転位置への移動を不可能として安全性を確保するインターロックを安価に実現すること。【解決手段】  コネクタプラグ１９の未挿入状態では、保護カバー３３がＵ字型邪魔板３４の下方位置で横長に保持された状態となって、移動形機器１５を運転位置へ移動させようとしても、保護カバー３３がＵ字型邪魔板３４に当たって移動させることができない。コネクタプラグ１９の挿入状態では、保護カバー３３が自重でコネクタプラグ１９の上側面に載置される。この状態では、保護カバー３３がＵ字型邪魔板３４から離れた上方に位置するので移動形機器１５を運転位置へ向かって移動させても、保護カバー３３がＵ字型邪魔板３４には当たらず移動形機器１５を運転位置まで移動させることができる。【選択図】      図１
2007037287.tif 000002
【特許請求の範囲】
【請求項１】
配電盤に運転位置と試験／断路位置との間を自在に移動可能に収納され、コネクタプラグが挿入されるコネクタジャックを有する移動形機器におけるコネクタのインターロック機構において、
前記移動形機器の正面で下方に突き出た凸部を有し、この凸部に前記コネクタジャックが固定された基板と、
前記コネクタジャックが固定された凸部が移動可能な幅を有する側溝形状を成し、前記配電盤の正面の端から前記運転位置まで前記移動形機器の移動経路に沿って配置された邪魔板と、
板状を成し、前記コネクタプラグの未挿入状態では前記コネクタジャックを覆うと共に前記邪魔板に当接する高さ位置に保持され、前記コネクタプラグの挿入状態では前記邪魔板に当接しない位置に載置される保護カバーと
を備えたことを特徴とする移動形機器におけるコネクタのインターロック機構。
【請求項２】
前記保護カバーは、前記試験／断路位置での前記コネクタプラグの取り外し状態にあって自動的に前記コネクタジャックを覆う位置に戻る
ことを特徴とする請求項１に記載の移動形機器におけるコネクタのインターロック機構。
【請求項３】
前記コネクタプラグの挿入状態において、当該コネクタプラグの両端と前記邪魔板の側面との間隔は、人の指が入らない寸法とされている
ことを特徴とする請求項１または２に記載の移動形機器におけるコネクタのインターロック機構。
【発明の詳細な説明】
【技術分野】
【０００１】
本発明は、配電盤（スイッチギヤ）に収納されるＶＣＢ（高圧真空遮断器）やＶＴ（機器）台車などの移動形機器におけるコネクタのインターロック機構に関する。
【背景技術】
【０００２】
図２に従来の移動形機器が収納された配電盤の側面図を示すと共に、図３（ａ）及び（ｂ）に従来の移動形機器におけるコネクタのインターロック機構の図を示し、その説明を行う。
図２に示すように、配電盤１０は、縦型の直方体形状を成し、内部に接地金属の仕切り板１１が水平に配設されてユニット室１２に区切られており、これらのうち所定のユニット室に移動形機器１５が、車輪１６を介して矢印Ｙ１で示す前後方向に移動可能に収納されている。
【０００３】
移動形機器１５は、正面に把手１７が固定されており、この把手１７を人が把持して矢印Ｙ１で示す前後方向に移動可能となっている。移動形機器１５の試験等を行う場合、矢印Ｙ１で示す右側の引き出し方向に試験／断路位置Ｐ１まで引き出して行う。
この試験／断路位置Ｐ１では、移動形機器１５の一次側が遮断状態となるので、その二次側であるコネクタジャック１８も遮断状態となる。このため、コネクタジャック１８に挿入されているコネクタプラグ１９を安全に抜き差しできる状態となる。
【０００４】
一方、移動形機器１５が配電盤１０のユニット室の所定位置に収納され、電源と接続状態となる運転位置においては、コネクタジャック１８に給電された状態となるので、コネクタプラグ１９の抜き差しは危険である。この抜き差しが出来ないようにするために移動形機器１５にはコネクタのインターロック機構が設けられている。
このインターロック機構は、図３に示すように、長方形状のコネクタプラグ１９よりもやや大きいサイズの枠形状のスライド板２１と、ユニット室の床面に配置された邪魔板２２とを備えて構成されている。
【０００５】
スライド板２１は、移動形機器１５のコネクタ部分にバネ２４で吊り下げられると共に、縦枠に細長い貫通溝２１ａにピン２１ｂを嵌め込んで形成したガイド部２１ｃで規制されて配置され、人が双方向矢印Ｙ２で示す上下方向にガイド部２１ｃに沿って自在に移動することが可能となっている。
また、スライド板２１の縦枠の開口側には、コネクタプラグ１９の両側に設けられた凸部１９ａよりもやや大きいサイズの凹部２１ｄが対向位置に設けられている。更に、スライド板２１の上下には凸状のフック部１９ｂが設けられ、コネクタジャック１８への差込側の対向面には他の回路機器を接続するための複数のピン１９ｃが設けられている。
【０００６】
邪魔板２２は、スライド板２１を凹部２１ｄが凸部１９ａに合う位置まで下げた高さよりも高いサイズを有する長方形状を成し、配電盤１０の床面の端から運転位置まで移動形機器１５の移動経路に沿って配置されている。
従って、スライド板２１は、図３（ｂ）に示すように、邪魔板２２が存在しない試験／断路位置Ｐ１では凹部２１ｄが凸部１９ａに合うように矢印Ｙ３で示す下方にスライドすることが可能なので、コネクタプラグ１９を抜き差しすることができる。
【０００７】
一方、図３（ａ）に示すように、邪魔板２２が存在する位置では凹部２１ｄが凸部１９ａに合うようにスライドすることが不可能なので、コネクタプラグ１９を抜き差しすることはできない。これによって、運転位置への移動途中や運転位置では、コネクタプラグ１９を外せないようにして安全を図っている。
この種の従来の移動形機器におけるコネクタのインターロック機構として、例えば特許文献１に記載のものがある。
【特許文献１】特開平９−７４６２６号公報
【発明の開示】
【発明が解決しようとする課題】
【０００８】
しかし、従来の移動形機器におけるコネクタのインターロック機構においては、試験／断路位置Ｐ１にて移動型機器１５にコネクタプラグ１９を差し忘れても、スライド板２１はバネ２４の力で上がった状態となるので、この状態で移動形機器１５を、試験／断路位置Ｐ１から運転位置へ移動させてもスライド板２１が邪魔板２２に当たることはなく、運転位置まで移動することができる。この場合、移動形機器１５が高圧電源と接続状態となって、剥き出しのコネクタジャック１８に１００Ｖの電気が給電された状態となるので、人が触って感電したり、何らかの導体が接触して短絡事故を引き起こしたりする等の危険を伴う問題がある。
【０００９】
この他、上述にて説明した以外の特殊なコネクタを用いたインターロック機構も考えられるが、コスト高となる問題がある。
本発明は、このような課題に鑑みてなされたものであり、試験／断路位置のみでコネクタプラグの抜き差しが可能で、コネクタプラグの未挿入状態では運転位置への移動を不可能として安全性を確保するインターロックを安価に実現することができる移動形機器におけるコネクタのインターロック機構を提供することを目的としている。
【課題を解決するための手段】
【００１０】
上記目的を達成するために、本発明の請求項１による移動形機器におけるコネクタのインターロック機構は、配電盤に運転位置と試験／断路位置との間を自在に移動可能に収納され、コネクタプラグが挿入されるコネクタジャックを有する移動形機器におけるコネクタのインターロック機構において、前記移動形機器の正面で下方に突き出た凸部を有し、この凸部に前記コネクタジャックが固定された基板と、前記コネクタジャックが固定された凸部が移動可能な幅を有する側溝形状を成し、前記配電盤の正面の端から前記運転位置まで前記移動形機器の移動経路に沿って配置された邪魔板と、板状を成し、前記コネクタプラグの未挿入状態では前記コネクタジャックを覆うと共に前記邪魔板に当接する高さ位置に保持され、前記コネクタプラグの挿入状態では前記邪魔板に当接しない位置に載置される保護カバーとを備えたことを特徴とする。
【００１１】
この構成によれば、コネクタプラグが未挿入状態では保護カバーがコネクタジャックを覆うと共に前記邪魔板に当接する高さ位置に保持されるので、移動形機器を運転位置へ移動させようとしても、保護カバーが邪魔板に当たって移動させることができない。コネクタプラグの挿入状態では保護カバーが邪魔板よりも高い位置である当該コネクタプラグの上側に載置されるので、保護カバーが邪魔板には当たらず移動形機器を運転位置まで移動させることができる。従って、従来のようなコネクタプラグ未挿入状態での移動形機器の運転位置までの移動によって、移動形機器が高圧電源と接続状態となって剥き出しのコネクタジャックが給電された状態となり、人の接触による感電や、何らかの導体接触による短絡事故等の危険を伴うといったことを回避することができる。また、主要な構成要素として安価な材料で済む、基板、保護カバー及びＵ字型邪魔板を組み合わせて構成することができるので、インターロック機構全体を安価に構成することができる。
【００１２】
また、本発明の請求項２による移動形機器におけるコネクタのインターロック機構は、請求項１において、前記保護カバーは、前記試験／断路位置での前記コネクタプラグの取り外し状態にあって自動的に前記コネクタジャックを覆う位置に戻ることを特徴とする。
この構成によれば、保護カバーが試験／断路位置でのコネクタプラグ取り外し状態にあって自動的にコネクタジャックを覆う位置に戻るので、コネクタプラグ取り外し状態における安全性とコネクタピンの破損防止をより確保することができる。
【００１３】
また、本発明の請求項３による移動形機器におけるコネクタのインターロック機構は、請求項１または２において、前記コネクタプラグの挿入状態において、当該コネクタプラグの両端と前記邪魔板の側面との間隔は、人の指が入らない寸法とされていることを特徴とする。
この構成によれば、移動形機器の移動途中に人がコネクタプラグを引き抜こうとしても、指が入らず引く抜くことが不可能であり、移動途中でのコネクタ着脱ができないインターロックも確保することができる。
【発明の効果】
【００１４】
以上説明したように本発明によれば、試験／断路位置のみでコネクタプラグの抜き差しが可能で、コネクタプラグの未挿入状態では運転位置への移動を不可能として安全性を確保するインターロックを安価に実現することができるという効果がある。
【発明を実施するための最良の形態】
【００１５】
以下、本発明の実施の形態を、図面を参照して説明する。但し、本明細書中の全図において相互に対応する部分には同一符号を付し、重複部分においては後述での説明を適時省略する。
図１は、本発明の実施の形態に係る移動形機器におけるコネクタのインターロック機構を示し、（ａ）はコネクタ未挿入時の状態を示す正面図、（ｂ）は（ａ）の側面図、（ｃ）はコネクタ挿入時の状態を示す正面図、（ｄ）は（ｃ）の側面図である。
【００１６】
本実施の形態のインターロック機構は、図２に示した配電盤１０のユニット室１２に収納される移動形機器１５に取付けられるものであり、移動形機器１５の正面に固定される下方に突き出た凸部分を有し、この凸部分にコネクタジャック１８が固定された前面パネル３１と、この前面パネル３１の右上端部に１本のピン３２で所定角度回動可能に取付けられた長方形状の保護カバー３３と、前面パネル３１の凸部分よりもやや幅広のＵ字側溝形状を成し、ユニット室１２の床面にこの端から運転位置まで移動形機器１５の移動経路に沿って配置されたＵ字型邪魔板３４とを備えて構成されている。
【００１７】
保護カバー３３は、図１（ａ）及び（ｂ）に示すように、コネクタプラグ１９が未挿入状態では、コネクタジャック１８を正面から覆って長手辺が床面と平行になると共にＵ字型邪魔板３４の下方位置に配置される横長状態となる。この横長の保持状態では、保護カバー３３がＵ字型邪魔板３４の下方部分に位置する状態となるので、移動形機器１５を運転位置へ移動させようとしても、保護カバー３３がＵ字型邪魔板３４に当たって移動させることができない。
【００１８】
更に、保護カバー３３は、（ｃ）及び（ｄ）に示すように、コネクタプラグ１９がコネクタジャック１８に挿入された状態では、コネクタプラグ１９の上側面に短手辺が載置された縦長状態となる。この縦長の保持状態では、保護カバー３３がＵ字型邪魔板３４から離れた上方に位置するので、保護カバー３３はＵ字型邪魔板３４には当たらず移動形機器１５を運転位置まで移動させることができる。
【００１９】
また、保護カバー３３は、コネクタプラグ１９をコネクタジャック１８に差し込む際に人手によって右方向に回動されるが、この回動可能な角度は９０度以下となっており、長手辺が床面に対して略垂直状態となるまでしか回動できず、この状態で手の把持が開放された場合、コネクタプラグ１９が挿入されていなければ（ａ）及び（ｂ）に示す横長状態に自重で戻って保持され、挿入されていれば（ｃ）及び（ｄ）に示す縦長状態で保持されるようになっている。本実施の形態では保護カバー３３は自重で戻るようにしたが、バネなどの弾性手段で戻るようにしてもよい。
【００２０】
また、（ｃ）に示すように、コネクタプラグ１９の挿入状態において、コネクタプラグ１９の両端とＵ字型邪魔板３４の側面との間隔Ｇは、人の指が入らない寸法とされている。
このような構成のインターロック機構が組み込まれた移動形機器１５の試験等を行う場合、図２に示す試験／断路位置Ｐ１まで引き出して行う。
【００２１】
この試験／断路位置Ｐ１では、移動形機器１５の一次側が電源と遮断状態となるので、その二次側であるコネクタジャック１８も遮断状態となる。この遮断状態で、コネクタジャック１８に挿入されているコネクタプラグ１９を安全に抜くことができる。
このコネクタプラグ１９を抜いた状態では、保護カバー３３がＵ字型邪魔板３４の下方位置で横長に保持された状態となっているので、移動形機器１５を運転位置へ移動させようとしても、保護カバー３３がＵ字型邪魔板３４に当たって移動させることができない。
【００２２】
一方、移動形機器１５を運転位置に収納する場合は、保護カバー３３を右方向に回動させてコネクタジャック１８を露出させ、フック部１９ｂを把持してコネクタプラグ１９をコネクタジャック１８に差し込む。この後、保護カバー３３を離すと、保護カバー３３は自重でコネクタプラグ１９の上側面に載置され、縦長状態に保持される。
この縦長の保持状態では、保護カバー３３がＵ字型邪魔板３４から離れた上方に位置するので、移動形機器１５を運転位置へ向かって移動させても、保護カバー３３がＵ字型邪魔板３４には当たらず移動形機器１５を運転位置まで移動させることができる。
【００２３】
以上説明したように本実施の形態の移動形機器におけるコネクタのインターロック機構によれば、試験／断路位置Ｐ１では移動型機器１５にコネクタプラグ１９を抜き差し可能である。一方、コネクタプラグ１９を差し忘れても、保護カバー３３が自重で自動的にＵ字型邪魔板３４の下方位置で保持状態となるので、移動形機器１５を運転位置へ移動させようとしても、保護カバー３３がＵ字型邪魔板３４に当たって移動させることができない。
【００２４】
従って、従来のように、コネクタプラグ１９の未挿入状態でも移動形機器１５を運転位置まで移動することができ、剥き出しのコネクタジャック１８に給電された状態となり、人の接触による感電や、金属物の接触による短絡事故等の危険を伴うといったことを回避することができる。
また、コネクタプラグ１９の挿入状態において、コネクタプラグ１９の両端とＵ字型邪魔板３４の側面との間隔Ｇを人の指が入らない寸法としたので、移動形機器１５の移動途中に人がコネクタプラグ１９を引き抜こうとしても、指が入らず引く抜くことが不可能であり、移動途中でのコネクタ着脱できないインターロックも確保することができる。
【００２５】
更に、本インターロック機構は、主要な構成要素として安価な材料で済む、前面パネル３１、保護カバー３３及びＵ字型邪魔板３４を組み合わせて構成することができるので、インターロック機構全体を安価に構成することができる。
従って、試験／断路位置Ｐ１のみでコネクタプラグ１９の抜き差しが可能で、コネクタプラグ１９の未挿入状態では運転位置への移動を不可能として安全性を確保するインターロックを安価に実現することができる。
【図面の簡単な説明】
【００２６】
【図１】本発明の実施の形態に係る移動形機器におけるコネクタのインターロック機構を示し、（ａ）はコネクタ未挿入時の状態を示す正面図、（ｂ）は（ａ）の側面図、（ｃ）はコネクタ挿入時の状態を示す正面図、（ｄ）は（ｃ）の側面図である。
【図２】従来の移動形機器が収納された配電盤の側面図である。
【図３】従来の移動形機器におけるコネクタのインターロック機構の図である。
【符号の説明】
【００２７】
１０  配電盤（スイッチギヤ）
１１  仕切り板
１２  ユニット室
１５  移動形機器
１６  車輪
１７  把手
１８  コネクタジャック
１９  コネクタプラグ
１９ａ  凸部
１９ｂ  フック部
１９ｃ  ピン
２１  スライド板
２１ａ  貫通溝
２１ｂ  ピン
２１ｃ  ガイド部
２４  バネ
３１  前面パネル
３２  ピン
３３  保護カバー
３４  Ｕ字型邪魔板
【図１】
2007037287.tif 000003
【図２】
2007037287.tif 000004
【図３】
2007037287.tif 000005